(57)【要約】【課題】紫外線センサの劣化を抑制でき、かつデンザイン性を向上させることができると共に、商品コストの低減化を図ることができる紫外線センサ付時計を提供する。【解決手段】外装ケースと、この外装ケースの外表面に設けられた文字板３と、外装ケース内に設けられ、この外装ケースの外表面に照射される紫外線量を検出する紫外線センサ１０とを備え、文字板３よりも背面側に紫外線センサ１０を配置すると共に、この紫外線センサ１０の検出面１０ａ側と文字板３との間に配置される日車９に、紫外線センサ１０への紫外線の照射を可能にする開口部１９を形成した。【選択図】図２
2011221010.tif 000002
【特許請求の範囲】
【請求項１】
外装ケースと、
この外装ケースの外表面に設けられた文字板と、
前記外装ケース内に設けられ、この外装ケースの外表面に照射される紫外線量を検出する紫外線センサと、
この紫外線センサによる検出結果を表示する表示手段とを有する紫外線センサ付時計であって、
前記文字板よりも背面側に前記紫外線センサを配置すると共に、
前記紫外線センサの検出面側と前記文字板との間に、前記紫外線センサへの照射光を遮蔽する遮蔽プレートを前記検出面を開放・閉塞可能なように設けたことを特徴とする紫外線センサ付時計。
【請求項２】
前記遮蔽プレートは、前記外装ケース内に設けられた日車であって、
前記文字板に前記日車を表示可能な開口窓を形成すると共に、この開口窓に対応する位置に前記紫外線センサを配置し、
前記日車の一部に、前記検出面に紫外線を照射可能な開口部を形成したことを特徴とする請求項１に記載の紫外線センサ付時計。
【請求項３】
前記外装ケースに、少なくとも前記日車を操作可能な操作部を設け、この操作部の操作に基づいて、前記開口部を前記紫外線センサの検出面側に移動させることを特徴とする請求項２に記載の紫外線センサ付時計。
【請求項４】
前記操作部は、少なくとも前記日車を操作可能な竜頭であることを特徴とする請求項３に記載の紫外線センサ付時計。
【請求項５】
前記操作部は、前記外装ケースの周囲に設けられたベゼルであることを特徴とする請求項３に記載の紫外線センサ付時計。
【請求項６】
前記操作部は、前記外装ケースに設けられた操作スイッチであって、
前記外装ケースに、前記操作スイッチの操作に基づいて少なくとも前記日車を操作するモータを内装したことを特徴とする請求項３に記載の紫外線センサ付時計。
【請求項７】
前記外装ケースに、少なくとも前記日車を駆動するモータを内装すると共に、前記日車に前記モータの駆動力を伝達する駆動する輪列の一部に、前記開口部の位置を検出する検出部を設け、
前記検出部によって、前記開口部が前記紫外線センサの検出面側に位置していることを検出したとき、前記検出部からの出力信号に基づいて、前記日車が日付表示位置に移動することを特徴とする請求項２〜請求項５の何れかに記載の紫外線センサ付時計。
【請求項８】
外装ケース内に設けられ、この外装ケースの外表面に照射される紫外線量を検出する紫外線センサと、
この紫外線センサによる検出結果を表示する表示手段とを有する紫外線センサ付時計であって、
前記紫外線センサの検出面側に、前記紫外線センサへの照射光を減衰可能な日車を設けたことを特徴とする紫外線センサ付時計。
【請求項９】
前記表示手段は、少なくとも前記文字板と、時刻を示す指針とを含んでおり、
これら文字板と指針とにより、前記紫外線センサによる検出結果を表示することを特徴とする請求項１〜請求項８の何れかに記載の紫外線センサ付時計。
【請求項１０】
外装ケースと、
この外装ケースの外表面に設けられた時刻データおよび、非時刻データを表示する液晶パネルと、
前記外装ケース内で、且つ前記液晶パネルの背面側に設けられ、前記外装ケースの外表面に照射される紫外線量を検出する紫外線センサとを備え、
前記非時刻データは、少なくとも前記紫外線センサによる検出結果のデータである紫外線センサ付時計であって、
前記液晶パネルは、前記紫外線センサに対応する領域の液晶層に電界を印加する電極を有し、
前記電極は、前記電界の印加に基づいて前記外装ケースの外表面に照射される紫外線の入光／遮蔽を切り替えるようになっていることを特徴とする紫外線センサ付時計。
【請求項１１】
前記液晶パネルは、外表面側に配置された上偏光板と、背面側に配置された下偏光板とを備え、
前記上偏光板、および前記下偏光板の表面には、前記紫外線センサに対応する領域を避けるように、紫外線の透過を阻害するフィルタ部材が配置されていることを特徴とする請求項１０に記載の紫外線センサ付時計。
【発明の詳細な説明】
【技術分野】
【０００１】
この発明は、紫外線量を検出することができる紫外線センサ付時計に関するものである。
【背景技術】
【０００２】
近年、紫外線量を検出可能な紫外線センサを備えたさまざま携帯型装置が提案されている。例えば、腕時計本体の外表面に紫外線量を検出可能な紫外線センサを設けると共に、時刻等を表示する時刻表示部とは別に紫外線センサによる検出結果を表示可能な紫外線量表示部を設けた腕時計がある（例えば、特許文献１参照）。
【０００３】
また、紫外線受光素子（紫外線センサ）を有する紫外線測定装置本体と、遮蔽カバーとを備え、遮蔽カバーを紫外線測定装置本体の側端部に遮蔽位置、および開放位置の間で回動可能に連結して、遮蔽位置で液晶ディスプレイ（表示手段）を覆うと供に、開放位置で液晶ディスプレイを露出させる構成とした携帯型の紫外線測定装置がある（例えば、特許文献２参照）。
【先行技術文献】
【特許文献】
【０００４】
【特許文献１】実開平７−１２９９５号公報
【特許文献２】特開２００４−１０９０９１号公報
【発明の概要】
【発明が解決しようとする課題】
【０００５】
しかしながら、上述の特許文献１にあっては、紫外線センサが腕時計本体の外表面に晒されているので、常に紫外線センサに紫外線が照射された状態になっている。このため、紫外線による紫外線センサの劣化を防止できないという課題がある。
また、腕時計本体の同一表面に、紫外線センサと紫外線量表示部とが配置されているので、紫外線センサが常にユーザの目に触れることになり、デザイン性が損なわれるという課題がある。
【０００６】
さらに、上述の特許文献２にあっては、遮蔽カバーを開閉させることにより、紫外線による紫外線センサの劣化を抑制できるという点では優れているが、遮蔽カバーを設ける分、部品点数が増大し、商品コストが増大するという課題がある。
また、例えば、腕時計に遮蔽カバーを設けると、腕時計が重くなるばかりかデザイン性が損なわれるという課題がある。
【０００７】
そこで、この発明は、上述した事情に鑑みてなされたものであって、紫外線センサの劣化を抑制でき、かつデザイン性を向上させることができると共に、商品コストの低減化を図ることができる紫外線センサ付時計を提供するものである。
【課題を解決するための手段】
【０００８】
上記の課題を解決するために、本発明に係る紫外線センサ付時計は、外装ケースと、この外装ケースの外表面に設けられた文字板と、前記外装ケース内に設けられ、この外装ケースの外表面に照射される紫外線量を検出する紫外線センサと、この紫外線センサによる検出結果を表示する表示手段とを有する紫外線センサ付時計であって、前記文字板よりも背面側に前記紫外線センサを配置すると共に、前記紫外線センサの検出面側と前記文字板との間に、前記紫外線センサへの照射光を遮蔽する遮蔽プレートを前記検出面を開放・閉塞可能なように設けたことを特徴とする。
【０００９】
このように構成することで、紫外線量を検出するときだけ、紫外線センサの検出面を遮蔽プレートにより開放させるようにすることができる。このため、紫外線センサの検出面が常時紫外線に晒されることなく、紫外線センサの劣化を抑制することが可能になる。
また、文字板よりも背面側に紫外線センサを配置すると共に、紫外線センサと文字板との間に遮蔽プレートを設けるので、紫外線センサや遮蔽プレートが外部に露出することなく、紫外線センサ付時計のデザイン性を損なうことがない。
【００１０】
本発明に係る紫外線センサ付時計は、前記遮蔽プレートは、前記外装ケース内に設けられた日車であって、前記文字板に前記日車を表示可能な開口窓を形成すると共に、この開口窓に対応する位置に前記紫外線センサを配置し、前記日車の一部に、前記検出面に紫外線を照射可能な開口部を形成したことを特徴とする。
【００１１】
このように構成することで、部品点数を増加させることなく、紫外線センサの劣化を抑制することができる。このため、商品コストの低減化を図ることが可能になる。
【００１２】
本発明に係る紫外線センサ付時計は、前記外装ケースに、少なくとも前記日車を操作可能な操作部を設け、この操作部の操作に基づいて、前記開口部を前記紫外線センサの検出面側に移動させることを特徴とする。
【００１３】
このように構成することで、単純な操作で日車を操作することにより、紫外線センサの検出面を開放したり閉塞したりすることができる。このため、使い勝手のよい紫外線センサ付時計を提供することができる。
【００１４】
本発明に係る紫外線センサ付時計は、前記操作部は、少なくとも前記日車を操作可能な竜頭であることを特徴とする。
【００１５】
このように構成することで、別途操作部を設けることなく、日車を操作することができ、商品コストの低減化を図ることができる。
【００１６】
本発明に係る紫外線センサ付時計は、前記操作部は、前記外装ケースの周囲に設けられたベゼルであることを特徴とする。
【００１７】
このように構成することで、ベゼルを備えた紫外線センサ付時計において、日車を容易に操作することが可能で、かつ商品コストを低減化できる紫外線センサ付時計を提供することが可能になる。また、紫外線センサ付時計のタイプに応じて日車の操作方法のバリエーションを増大させることができる。
【００１８】
本発明に係る紫外線センサ付時計は、前記操作部は、前記外装ケースに設けられた操作スイッチであって、前記外装ケースに、前記操作スイッチの操作に基づいて少なくとも前記日車を操作するモータを内装したことを特徴とする。
【００１９】
このように構成することで、さらに、容易に日車を操作することが可能になる。
【００２０】
本発明に係る紫外線センサ付時計は、前記外装ケースに、少なくとも前記日車を駆動するモータを内装すると共に、前記日車に前記モータの駆動力を伝達する駆動する輪列の一部に、前記開口部の位置を検出する検出部を設け、前記検出部によって、前記開口部が前記紫外線センサの検出面側に位置していることを検出したとき、前記検出部からの出力信号に基づいて、前記日車が日付表示位置に移動することを特徴とする。
【００２１】
このように構成することで、日車の開口部が紫外線センサの検出面側に位置しているか否かを確実に検出することができ、紫外線量の検出動作を開始してから検出開始への移行が完了したか否かをユーザが容易に認識することができる。
また、紫外線量の検出終了後、モータを駆動させて日車を通常の日付表示位置に移動させることができる。このため、煩わしい操作が減少し、さらに使い勝手のよい紫外線センサ付時計を提供することができる。
【００２２】
本発明に係る紫外線センサ付時計は、外装ケース内に設けられ、この外装ケースの外表面に照射される紫外線量を検出する紫外線センサと、この紫外線センサによる検出結果を表示する表示手段とを有する紫外線センサ付時計であって、前記紫外線センサの検出面側に、前記紫外線センサへの照射光を減衰可能な日車を設けたことを特徴とする。
【００２３】
このように構成することで、日車を利用して紫外線センサに照射される紫外線量を減少させることができるので、紫外線センサの劣化を抑制することが可能になる。
また、日車を利用することで、従来のように、外装ケースに別途遮蔽カバー等を設ける必要がなく、紫外線センサ付時計のデザイン性を損なう虞がないと共に、商品コストを低減することが可能になる。
さらに、紫外線量の検出時に日車を操作する必要がなくなるので、さらに使い勝手のよい紫外線センサ付時計を提供することができる。
【００２４】
本発明に係る紫外線センサ付時計は、前記表示手段は、少なくとも前記文字板と、時刻を示す指針とを含んでおり、これら文字板と指針とにより、前記紫外線センサによる検出結果を表示することを特徴とする。
【００２５】
このように構成することで、紫外線センサによる検出結果を表示する表示手段を別途設けることなく、検出結果を表示することが可能になる。このため、さらにデザイン性のよい紫外線センサ付時計を提供することが可能になる。
【００２６】
本発明に係る紫外線センサ付時計は、外装ケースと、この外装ケースの外表面に設けられた時刻データおよび、非時刻データを表示する液晶パネルと、前記外装ケース内で、且つ前記液晶パネルの背面側に設けられ、前記外装ケースの外表面に照射される紫外線量を検出する紫外線センサとを備え、前記非時刻データは、少なくとも前記紫外線センサによる検出結果のデータである紫外線センサ付時計であって、前記液晶パネルは、前記紫外線センサに対応する領域の液晶層に電界を印加する電極を有し、前記電極は、前記電界の印加に基づいて前記外装ケースの外表面に照射される紫外線の入光／遮蔽を切り替えるようになっていることを特徴とする。
【００２７】
このように構成することで、液晶パネルを用いた紫外線センサ付時計であっても、紫外線量を検出するときだけ、紫外線センサに紫外線を照射させることができる。このため、紫外線センサが常時紫外線に晒されることなく、紫外線センサの劣化を抑制することが可能になる。
また、液晶パネルの背面側に紫外線センサを設け、液晶パネルの電極によって紫外線センサを紫外線から保護するので、紫外線センサが外部に露出することなく、紫外線センサ付時計のデザイン性を損なうことがない。
【００２８】
本発明に係る紫外線センサ付時計は、前記液晶パネルは、外表面側に配置された上偏光板と、背面側に配置された下偏光板とを備え、前記上偏光板、および前記下偏光板の表面には、前記紫外線センサに対応する領域を避けるように、紫外線の透過を阻害するフィルタ部材が配置されていることを特徴とする。
【００２９】
このように構成することで、上偏光板、および下偏光板として、例えば、比較的紫外線に弱い有機偏光板を採用することができる。このため、各偏光板の材料選定の幅が広がり、設計性、デザイン性を向上させることが可能になる。
【発明の効果】
【００３０】
本発明によれば、紫外線量を検出するときだけ、紫外線センサの検出面を遮蔽プレートにより開放させるようにすることができる。このため、紫外線センサの検出面が常時紫外線に晒されることなく、紫外線センサの劣化を抑制することが可能になる。
また、文字板よりも背面側に紫外線センサを配置すると共に、紫外線センサと文字板との間に遮蔽プレートを設けるので、紫外線センサや遮蔽プレートが外部に露出することなく、紫外線センサ付時計のデザイン性を損なうことがない。
さらに、部品点数を増加させることなく、紫外線センサの劣化を抑制することができるので、商品コストの低減化を図ることが可能になる。
【００３１】
そして、日車を利用して紫外線センサに照射される紫外線量を減少させることができるので、紫外線センサの劣化を抑制することが可能になる。
また、日車を利用することで、従来のように、外装ケースに別途遮蔽カバー等を設ける必要がなく、紫外線センサ付時計のデザイン性を損なうことがないと共に、商品コストを低減することが可能になる。
【図面の簡単な説明】
【００３２】
【図１】本発明の第一実施形態における紫外線センサ付腕時計の平面図である。
【図２】本発明の第一実施形態における紫外線センサ付腕時計の日付を表示した状態を示す説明図であって、（ａ）は簡略平面図、（ｂ）は簡略側面図である。
【図３】本発明の第一実施形態における紫外線センサ付時計の文字板を取り外した状態を示す簡略平面図である。
【図４】本発明の第一実施形態における紫外線量を検出する場合の紫外線センサ付腕時計の状態を示す説明図であって、（ａ）は簡略平面図、（ｂ）は簡略側面図である。
【図５】本発明の第一実施形態の変形例における接点機構の平面図である。
【図６】本発明の第二実施形態における紫外線センサ付腕時計の平面図である。
【図７】本発明の第二実施形態における紫外線センサ付腕時計の構成を示すブロック図である。
【図８】本発明の第三実施形態における紫外線センサ付腕時計の平面図である。
【図９】本発明の第四実施形態における紫外線センサ付腕時計の平面図である。
【図１０】本発明の第四実施形態における液晶パネルの概略構成図である。
【図１１】本発明の第四実施形態における紫外線センサ付腕時計の平面図である。
【図１２】本発明の第四実施形態における液晶パネルの概略構成図である。
【発明を実施するための形態】
【００３３】
（第一実施形態）
（紫外線センサ付腕時計）
次に、この発明の第一実施形態を図１〜図５に基づいて説明する。
図１は、紫外線センサ付腕時計１の平面図である。図２は、紫外線センサ付腕時計１の日付を表示した状態を示す説明図であって、（ａ）は簡略平面図、（ｂ）は簡略側面図である。
なお、以下の説明において、ユーザが紫外線センサ付腕時計１を装着した状態で、ユーザの腕に接する面を背面側、この背面側とは反対側であって、かつ外方に向く側の面を外表面側などと表現して説明する場合がある。
【００３４】
図１、図２に示すように、紫外線センサ付腕時計１は、外装ケース２と、外装ケース２の外表面側に設けられた文字板３と、文字板３上に配置されムーブメント４を構成する秒針５、分針６、および時針７と、文字板３の３時側に形成された平面視略四角形状の開口窓８を介して露出し、カレンダーとして機能する日車９と、この日車９の背面側に配置された紫外線センサ１０とを備えている。
外装ケース２の外表面には、中央の大部分に開口部１１が形成されており、ここに文字板３が嵌め込まれている。また、外装ケース２の外表面には、開口部１１を閉塞するように、カバーガラス１２が設けられている。
【００３５】
外装ケース２の側面には、6時側と１２時側とにそれぞれ時計バンド（不図示）を取り付けるためのバンド取り付け部１３ａ，１３ｂが形成されている。さらに、外装ケース２の側面には、３時側に竜頭１４が設けられている。
竜頭１４は、外装ケース２の外部からムーブメント４の操作を行うためのものであって、外装ケース２の３時側の側面から外装ケース２内に挿通された巻真１５と一体化されている。
【００３６】
巻真１５は、外装ケース２対して軸心回りに回転可能に設けられている。巻真１５の竜頭１４とは反対側にはつづみ車１６が設けられており、このつづみ車１６がムーブメント４に連係されている。これにより、巻真１５（竜頭１４）を回転させると、例えば、秒針５、分針６、時針７等が回転する。すなわち、ユーザの手指で竜頭１４を回転させることにより、現在時刻を変更することができる。
【００３７】
また、巻真１５は、外装ケース２の側面に対して竜頭１４を離反する方向（図１における矢印Ａ方向）、および近接する方向（図１における矢印Ｂ方向）に向かってスライド移動可能に設けられている。すなわち、竜頭１４は、ムーブメント４を操作不能な通常位置Ｐ１と、ムーブメント４を操作可能な時刻調整位置Ｐ２（図１における一点鎖線部参照）と、日車９を操作可能な日付調整位置Ｐ３（図１における二点鎖線部参照）とに切換え可能に構成されている。そして、時刻調整位置Ｐ２において、巻真１５のつづみ車１６がムーブメント４と連係するようになっている。
【００３８】
（日車）
図３は、紫外線センサ付腕時計１の文字板３を取り外した状態を示す簡略平面図である。
図１〜図３に示すように、竜頭１４を日付調整位置Ｐ３に切換えると、巻真１５のつづみ車１６が複数の歯車１７ａにより構成される輪列１７を介して日車９と連係するように構成されている。
日車９は、平面視略円環に形成されたプレート状のものであって、文字板３の背面側に、外装ケース２に対して回転可能に設けられている。日車９の内周縁には、歯部１８が形成されており、この歯部１８が輪列１７と噛合わされている。
【００３９】
また、日車９の表面９ａ、つまり、文字板３と対向する側の面には、「日」を表す数字が印字、または刻印されている。そして、これらの数字が文字板３の３時側に形成されている開口窓８を介して外部から視認できるようになっている。
ここで、日車９には、隣り合う数字の間、つまり、例えばこの第一実施形態では１日を表す数字の「１」と３１日を表す数字の「３１」との間に、開口部１９が形成されている。開口部１９は平面視略四角形状に形成されており、その開口面積は、文字板３に形成されている開口窓８よりもやや小さくなる程度に設定されている。
【００４０】
このような構成もと、竜頭１４が日付調整位置Ｐ３に位置しているとき、ユーザの手指で竜頭１４を回転させると日車９が回転し、日付を調整することができるようになっている。また、文字板３の開口窓８の位置に、日車９の開口部１９の位置を合わせることにより、この開口部１９を介して日車９の背面側を露出させることができる（図４（ａ）、図４（ｂ）参照）。
【００４１】
日車９の背面側には、文字板３の開口窓８に対応する位置に、紫外線センサ１０が設けられている。この紫外線センサ１０は、外装ケース２の外表面に照射される紫外線量を検出するためのものであって、その検出面１０ａを文字板３の開口窓８側に向けた状態で配置されている。すなわち、紫外線センサ１０の検出面１０ａには、文字板３の開口窓８と、日車９の開口部１９とが重ね合わさったときのみ、紫外線が照射される。紫外線センサ１０は、この検出面１０ａに紫外線が照射されることにより、紫外線量に応じたアナログ信号を制御回路（不図示）に出力する。
【００４２】
（紫外線量検出方法）
次に、図１、図２、図４に基づいて、紫外線センサ１０を用いた紫外線量の検出方法について、より詳しく説明する。
まず、図１、図２に示すように、紫外線センサ付腕時計１を通常動作させる場合、竜頭１４を通常位置Ｐ１（図１参照）に合わせる。この場合、文字板３の開口窓８には、日車９に印字、または刻印されている数字が表示され、ユーザは日付を認識することができる。
【００４３】
また、この場合、外装ケース２の外表面に照射されている紫外線は、文字板３の開口窓８を介して外装ケース２の背面側に向かって入光するが、日車９によって遮蔽される。このため、紫外線センサ１０の検出面１０ａには、紫外線が照射されず、紫外線センサ１０は、紫外線量を検出することができない（図２（ｂ）における矢印参照）。
【００４４】
図４は、紫外線量を検出する場合の紫外線センサ付腕時計１の状態を示す説明図であって、（ａ）は簡略平面図、（ｂ）は簡略側面図である。
図１、図４（ａ）、図４（ｂ）に示すように、紫外線センサ付腕時計１を用いて、紫外線量を検出する場合、竜頭１４を日付調整位置Ｐ３（図１参照）に合わせる。そして、竜頭１４をユーザの手指で回転して日車９を回転させ、この日車９の開口部１９を文字板３の開口窓８に合わせる。
すると、外装ケース２の外表面に照射されている紫外線は、文字板３の開口窓８、および日車９の開口部１９を介して外装ケース２の背面側に向かって入光し、紫外線センサ１０の検出面１０ａに紫外線が照射される（図４（ｂ）における矢印参照）。
【００４５】
すなわち、日車９は、紫外線センサ１０の検出面１０ａを外装ケース２の外部に向かって開放（露出）、閉塞可能な遮蔽プレートとして機能する。つまり、紫外線センサ１０の検出面１０ａを日車９によって閉塞しているときは、紫外線センサ１０への紫外線の照射が阻害される一方、紫外線センサ１０の検出面１０ａを日車９が開放しているときは、紫外線センサ１０へ紫外線が照射される。このため、竜頭１４の日付調整位置Ｐ３は、紫外線量検出位置としても機能する。
【００４６】
紫外線センサ１０による紫外線量の検出結果は、外装ケース２内に設けられている制御回路（不図示）に出力される。この制御回路は、紫外線センサ１０からの出力信号に基づいて、ムーブメント４に信号を出力する。ムーブメント４は、制御回路からの出力信号によって秒針５を回動させ、文字板３上の所望の位置を指し示す。
【００４７】
ここで、文字板３には、時刻を示す数字が印字、または刻印されている他、紫外線量を示す情報（例えば、ＵＶ値）が印字、または刻印されている。このため、ユーザは、秒針５の指し示す位置を視認することにより、紫外線量検出時の紫外線量を認識することができる。すなわち、秒針５、および文字板３は、紫外線センサ１０の検出結果を表示する表示手段としての役割を有している。
【００４８】
紫外線量の検出が終了すると、ユーザは、竜頭１４を日付調整位置Ｐ３（紫外線量検出位置）に位置させたままの状態で回転させ、現在の日付に合わせる。この後、竜頭１４を通常位置Ｐ１に押し込み、紫外線量の検出作業が終了する。
【００４９】
したがって、上述の第一実施形態によれば、紫外線センサ付腕時計１に設けられている日車９に開口部１９を形成し、日車９を紫外線センサ１０の検出面１０ａを外部に向かって開放（露出）、閉塞する遮蔽プレートとして機能させているので、紫外線センサ１０の検出面１０ａが常時紫外線に晒されることなく、紫外線センサ１０の劣化を抑制することが可能になる。
【００５０】
また、文字板３の背面側に紫外線センサ１０を配置すると共に、文字板３の背面側に配置される日車９を遮蔽プレートとして機能させている。このため、従来のように外装ケース２に紫外線センサ１０を保護するためのカバー等を設ける必要がなく、紫外線センサ付腕時計１のデザイン性を損なうことがない。
さらに、部品点数を増加させることなく紫外線センサ１０の劣化を抑制することができるので、商品コストの低減化を図ることが可能になる。
【００５１】
そして、日車９を操作する竜頭１４を利用して紫外線量を検出することができるので、外装ケース２に紫外線量を検出するための操作部を設ける必要がない。このため、この分商品コストを低減できると共に、使い勝手のよい紫外線センサ付腕時計１を提供することが可能になる。
【００５２】
また、秒針５、および文字板３は、紫外線センサ１０の検出結果を表示する表示手段としての役割を有しているので、外装ケース２の外表面に別途紫外線センサ１０の検出結果を表示する表示部を設ける必要がなく、さらにデザイン性のよい紫外線センサ付腕時計１を提供できる。
【００５３】
なお、上述の第一実施形態では、紫外線センサ１０の検出結果を表示する表示手段の役割を秒針５、および文字板３にもたせた場合について説明した。しかしながら、これに限られるものではなく、秒針５に代わって分針６や時針７を用いて紫外線センサ１０の検出結果を表示するように構成してもよい。
【００５４】
（第一実施形態の変形例）
ここで、上述の第一実施形態では、紫外線量の検出を終了した後、ユーザの手指で竜頭１４を回転させることにより現在の日付に合わせ、紫外線量の検出作業が終了する場合について説明した。しかしながら、自動で日車９を回転させて現在の日付に合わせ、紫外線量の検出作業を終了させるように構成してもよい。
この場合、外装ケース２内に、少なくとも日車９を回転駆動させるモータ（不図示）を設けると共に、日車９の歯部１８に噛合う輪列１７に、日車９の回転位置を検出する後述の接点機構２０を設けるようにする。
【００５５】
（接点機構）
より詳しく、図５に基づいて説明する。
図５は、第一実施形態の変形例における接点機構２０の平面図である。
図３、図５に示すように、輪列１７を構成する複数の歯車１７ａのうちの１つには、背面側に接点機構２０の一方を構成する接点バネ２１が設けられている。このため、接点バネ２１は、歯車１７ａと一体となって回転するようになっている。
接点バネ２１は、導電性を有するバネ材により形成され、または表面に金メッキ等が施されたものにより形成されたものであって、３つの接点バネ端子２１ａ，２１ｂ，２１ｃを有している。
【００５６】
一方、外装ケース２内には、接点バネ２１に摺接可能な回路基板２２が設けられている。回路基板２２には、接点バネ端子２１ａ，２１ｂ，２１ｃの先端部の回転する軌跡に沿った円周部分の一部に対応して、接点バネ端子用パターン２３が設けられている。接点バネ２１は、回路基板２２の接点バネ端子用パターン２３と接触可能に配置されている。
接点バネ端子用パターン２３は、Ａパターン２４、Ｂパターン２５、ＶＤＤパターン２６の３つのパターンにより構成されている。
【００５７】
Ａパターン２４、およびＢパターン２５は、日車９に形成されている開口部１９が文字板３の開口窓８に重なる箇所に位置している状態において、３つの接点バネ端子２１ａ，２１ｂ，２１ｃのうち、２つの接点バネ端子２１ａ，２１ｂに対応する位置にそれぞれ形成されている。また、Ａパターン２４、およびＢパターン２５は、不図示の日車位置検出回路に接続されている。
【００５８】
また、ＶＤＤパターン２６は、接点バネ端子２１ａ，２１ｂ，２１ｃの先端部の回転する軌跡に沿った円周部分であって、かつＡパターン２４、およびＢパターン２５を避けた箇所に形成されている。さらに、ＶＤＤパターン２６は、電源のプラス（ＶＤＤ）に接続されている。
【００５９】
（日車位置検出方法）
次に、接点機構２０を用いた日車９の位置検出方法について説明する。
まず、紫外線量を検出するにあたって、ユーザの手指で竜頭１４を回転させ、日車９の開口部１９を文字板３の開口窓８に合わせると、３つの接点バネ端子２１ａ，２１ｂ，２１ｃのうち、接点バネ端子２１ａがＡパターン２４に摺接し、接点バネ端子２１ｂがＢパターン２５に摺接すると共に、接点バネ端子２１ｃがＶＤＤパターン２６に摺接する。
【００６０】
すると、Ａパターン２４、およびＢパターン２５が、接点バネ２１を介して電源に接続されているＶＤＤパターン２６と電気的に接続される。これにより、Ａパターン２４、およびＢパターン２５に接続されている日車位置検出回路（不図示）に信号が入力される。
ここで、日車検出回路は、例えばタイマ等を有していると共に、少なくとも日車９を回転駆動させる不図示のモータを駆動させるモータ駆動回路（不図示）に接続されている。
【００６１】
そして、日車検出回路は、Ａパターン２４、およびＢパターン２５から信号が入力されてから所定時間経過後にモータ駆動回路に信号を出力する。モータ駆動回路は、日車位置検出回路からの信号が入力されると、モータを駆動させる。モータが駆動することにより、日車９が回転し、この後現在の日付位置で停止する。日車９が現在の日付位置で停止することにより、紫外線量の検出作業が終了する。
【００６２】
したがって、上述の第一実施形態の変形例によれば、輪列１７に接点機構２０を設けることにより、日車９が現在の日付位置にあるか、この状態から日車９の開口部８が紫外線センサ１０の検出面１０ａ上にあり、紫外線量を検出可能な状態に移行しているかをユーザが容易に認識できる。
また、ユーザの手指で竜頭１４を回転させることにより現在の日付に合わせ、紫外線量の検出作業を終了させる必要がなく、ユーザの煩わしい操作が減少する。このため、さらに使い勝手のよい紫外線センサ付腕時計１を提供することができる。
なお、この第一実施形態の変形例では、日車９の位置を検出する手段として、接点機構２０を用いた場合について説明した。しかしながら、これに限られるものではなく、日車９の回転位置を検出できる装置であればよい。
【００６３】
（第二実施形態）
次に、この発明の第二実施形態を図２を援用し、図６、図７に基づいて説明する。なお、第一実施形態と同一態様には、同一符号を付して説明する（以下の実施形態についても同様）。
図６は、紫外線センサ付腕時計１０１の平面図、図７は、紫外線センサ付腕時計１０１の構成を示すブロック図である。
【００６４】
この第二実施形態において、紫外線センサ付腕時計１０１は、外装ケース２と、外装ケース２の外表面側に設けられた文字板３と、文字板３上に配置されムーブメント４を構成する秒針５、分針６、および時針７と、文字板３の３時側に形成された平面視略四角形状の開口窓８を介して露出し、カレンダーとして機能する日車９と、この日車９の背面側に配置された紫外線センサ１０とを備えている点、日車９には、「日」を表す数字と数字との間、例えば「１」と「３１」との間に、紫外線センサ１０に紫外線を照射するための開口部１９が形成されている点等の基本的構成は、前述した第一実施形態と同様である（以下の第三実施形態についてまで同様）。
【００６５】
ここで、図６、図７に示すように、第二実施形態と第一実施形態との相違点は、紫外線量を検出する際、第一実施形態では、ユーザが竜頭１４を回転させることによって日車９を操作するのに対し、第二実施形態では、外装ケース２内に設けられた紫外線検出装置３０によって日車９を操作する点にある。
【００６６】
（紫外線検出装置）
紫外線検出装置３０は、発振回路３１と、分周回路３２と、スイッチ３３と、紫外線センサ１０と、センサ検出回路３５と、モータ駆動回路３６と、モータ３７と、ＲＯＭ（Ｒｅａｄ  Ｏｎｌｙ  Ｍｅｍｏｒｙ）３８と、ＲＡＭ（Ｒａｎｄｏｍ  Ａｃｃｅｓｓ  Ｍｅｍｏｒｙ）３９と、これらの制御を司る制御回路４０とを備えている。
【００６７】
発振回路３１は、所定周波数の信号を出力するものである。分周回路３２は、発振回路３１の出力信号を所定分周比で分周して制御回路４０に規準クロック信号や時計用の時計信号を出力するものである。
スイッチ３３は、紫外線量の検出を開始するためのものであって、外部から操作可能なように、外装ケース２の側面の例えば２時側に設けられている（図６参照）。
【００６８】
センサ検出回路３５は、紫外線センサ１０から出力されたアナログ信号をデジタル信号に変換し、制御回路４０に出力するためのものである。ここで、制御回路４０は、前述の第一実施形態における不図示の制御回路に相当している。
ＲＯＭ３８には、制御回路４０が実行するプログラムが予め記憶されている。ＲＡＭ３９は、スイッチの３３の操作に基づいて制御回路４０を介して紫外線センサ１０からの出力信号を読み込むようになっている。
【００６９】
モータ駆動回路３６は、モータ３７を駆動するためのものであって、前述の第一実施形態の変形例における不図示のモータ駆動回路に相当する。モータ駆動回路３６は、スイッチ３３の操作に基づいてモータ３７に電力を供給する。
モータ３７は、日車９の歯部１８（図３参照）に輪列１７を介して連係されている。すなわち、モータ３７は、前述の第一実施形態の変形例における不図示のモータに相当するものである。そして、モータ３７が駆動することによって、日車９が回転するようになっている。
【００７０】
（紫外線量検出方法）
次に、この第二実施形態の紫外線量の検出方法について説明する。
まず、紫外線量を検出する際、ユーザが外装ケース２に設けられているスイッチ３３を押下し、信号を出力する。制御回路４０は、スイッチ３３からの信号出力に基づいてモータ駆動回路３６に信号を出力する。すると、モータ駆動回路３６は、モータ３７に電力を供給し、日車９を回転させる。そして、日車９に形成されている開口部１９が文字板３の開口窓８に対応する位置に到達すると、制御回路４０は、モータ３７の駆動を停止する。
【００７１】
日車９の開口部１９と文字板３の開口窓８とが重なり合うことにより、紫外線センサ１０の検出面１０ａに紫外線が照射される。すると、紫外線センサ１０から紫外線量に応じた信号が出力される。この出力信号がセンサ検出回路３５を介して制御回路４０に入力される。ここで、制御回路４０は、紫外線センサ１０による検出結果を信号としてムーブメント４に出力するようになっている。これにより、ムーブメント４が秒針５を回動させ、文字板３上の所望の位置を指し示す。
【００７２】
ムーブメント４により紫外線量を表示した後、制御回路４０は、再びモータ駆動回路３６に信号を出力し、モータ３７を駆動させる。そして、日車９を回転させ、文字板３の開口窓８を介して現在の日付を表示させ、紫外線量の検出作業が終了する。
ここで、制御回路４０は、タイマ４１を備えており、日車９の開口部１９と文字板３の開口窓８とが重なり合ってからの時間をカウントするようになっている。ＲＯＭ３８には、カウント値の閾値が設定されており、この閾値を超えると制御回路４０により日車９が現在の日付表示に戻るようになっている。
【００７３】
なお、タイマ４１を前述の第一実施形態の変形例におけるタイマとして機能させ、前述の第一実施形態の変形例における接点機構２０と併せて日車９を現在の日付表示に戻すように構成してもよい。
【００７４】
したがって、上述の第二実施形態によれば、前述の第一実施形態と同様の効果に加え、ユーザの煩わしい作業を削減することができる。このため、さらに容易に日車９を操作することが可能になり、より使い勝手のよい紫外線センサ付腕時計１０１を提供することが可能になる。
【００７５】
（第三実施形態）
次に、この発明の第三実施形態を図３を援用し、図８に基づいて説明する。
図８は、本発明の第三実施形態における紫外線センサ付腕時計２０１の平面図である。
ここで、図８に示すように、前述の第一実施形態と第三実施形態との相違点は、第一実施形態の外装ケース２にベゼルが設けられていないのに対し、第三実施形態の外装ケース２には、ベゼル５１が設けられている点にある。
ベゼル５１は、外装ケース２の外周部に対応するように略円環状に形成されており、外装ケース２に対して周方向に回転自在になっている。
【００７６】
ベゼル５１の背面側には、不図示の歯部が形成されており、この歯部が輪列１７（図３参照）を介して日車９の歯部１８に連係されている。すなわち、ベゼル５１を回転させることにより、日車９を回転させることができるようになっている。
このような構成のもと、紫外線量を検出する場合、ベゼル５１を回転させて日車９を回転させる。そして、日車９に形成されている開口部１９（図３参照）を文字板３の開口窓８に合わせ、紫外線センサ１０の検出面１０ａに紫外線を照射させる。
【００７７】
したがって、上述の第三実施形態によれば、前述の第一実施形態と同様の効果に加え、ベゼル５１を備えた紫外線センサ付腕時計２０１において、日車９を容易に操作することが可能で、かつ商品コストを低減化できる。また、紫外線センサ付腕時計のタイプに応じて日車９の操作方法のバリエーションを増大させることができる。
【００７８】
（第四実施形態）
次に、この発明の第四実施形態を図９〜図１２に基づいて説明する。
図９は、本発明の第四実施形態における紫外線センサ付腕時計３０１の平面図である。
ここで同図に示すように、前述の第一実施形態と第四実施形態との相違点は、第一実施形態の紫外線センサ付腕時計１は、時刻データ、および紫外線センサ１０の検出結果を、秒針５、および文字板３を用いて、所謂アナログ表示するのに対し、第四実施形態の紫外線センサ付腕時計３０１は、時刻データ、および紫外線センサ１０の検出結果を、所謂デジタル表示する点にある。
【００７９】
より詳しくは、紫外線センサ付腕時計３０１は、外装ケース２内に、液晶表示装置６０が設けられているものである。外装ケース２の３時側には、例えば、液晶表示装置６０を駆動させて時刻データなどを調整するスイッチ６１が設けられている。また、外装ケース２の１時側には、紫外線量の検出を開始するときなどに用いるスイッチ６２が設けられている。
液晶表示装置６０は、液晶パネル６３と、液晶パネル６３の背面側（図９（ａ）における紙面奥側）に配置された反射板、及び反射板の周囲に配置されたバックライト（何れも不図示）とを備えており、液晶パネル６３が外装ケース２の外表面に露出された状態になっている。
【００８０】
図１０は、液晶パネル６３の概略構成図である。
図９、図１０に示すように、液晶パネル６３の中央部には、時刻データ、および紫外線センサ１０の検出結果を数字のセグメントで表示する表示部６８が設けられている。
液晶パネル６３は、一対のガラス基板６４，６５と、これら一対のガラス基板６４，６５のうち、外表面側（図１０における上側）のガラス基板６４の外側に配置された上偏光板６６と、一対のガラス基板６４，６５のうち、背面側（図１０における下側）のガラス基板６５の外側に配置された下偏光板６７とを有している。そして、この下偏光板６７の背面側であって、かつ液晶パネル６３の１２時側に紫外線センサ１０が設けられている。
【００８１】
一対のガラス基板６４，６５の内側には、それぞれ表示部６８に対応する部位に透明導電性材料からなる不図示の電極が形成されている。これら不図示の電極のうち、少なくとも一方は、上述したセグメントの形状に形成されている。
また、一対のガラス基板６４，６５の内側には、それぞれ紫外線センサ１０に対応する領域に、それぞれ透明導電性材料からなる電極７１，７２が形成されている。これら電極７１，７２は、外装ケース２の外表面に照射されている紫外線を、液晶パネル６３を透過させて液晶パネル６３の背面側に向かって入光させたり、液晶パネル６３で紫外線を遮蔽したりするためのものである（詳細は後述する）。
【００８２】
また、一対のガラス基板６４，６５の内側には、不図示の電極や、電極７１，７２を覆うように不図示の配向膜が形成されており、さらにこれら配向膜の間に、液晶層６９が配置されている。
各ガラス基板６４，６５の外側に配置された上偏光板６６、および下偏光板６７としては、例えば、有機偏光板が用いられる。有機偏光板を用いる場合、上偏光板６６、および下偏光板６７の表面には、それぞれ紫外線フィルタ７３，７４が配置されている。紫外線フィルタ７３，７４は、紫外線が入光することにより、液晶層６９が劣化してしまうのを防止する機能を有している。
【００８３】
また、各紫外線フィルタ７３，７４には、紫外線センサ１０に対応する領域、つまり、電極７１，７２に対応する箇所に、それぞれ開口部７５，７６が形成されている。これにより、液晶パネル６３の紫外線センサ１０に対応する領域に、紫外線を透過させることが可能になる。
【００８４】
なお、上偏光板６６、および下偏光板６７の表面に、紫外線フィルタ７３，７４を配置した場合について説明したが、これに限られるものではなく、紫外線フィルタ７３，７４に代わって、紫外線が透過するのを阻害可能な膜を、上偏光板６６、および下偏光板６７の表面に形成してもよい。この場合、上偏光板６６、および下偏光板６７の表面の電極７１，７２に対応する箇所を避けるように、膜を形成する。
また、上偏光板６６、および下偏光板６７として、有機偏光板を用いた場合にいて説明したが、これに限られるものではなく、有機偏光板に代わって無機偏光板を採用することも可能である。この場合、上偏光板６６、および下偏光板６７の表面に、紫外線フィルタ７３，７４を配置したり、これら紫外線フィルタ７３，７４に代わる膜を形成したりする必要がない。
【００８５】
このような構成のもと、液晶パネル６３は、ノーマリーホワイトモードに設定されており、一対の電極７１，７２の間に電界を印加しない状態で、外装ケース２の外表面に照射されている紫外線を透過させるようになっている。
図１１は、紫外線センサ付腕時計３０１の平面図、図１２は、液晶パネル６３の概略構成図であって、それぞれ一対の電極７１，７２の間に電界を印加しない状態を示す。
図１１、図１２に示すように、紫外線センサ付腕時計３０１を用いて、紫外線量を検出する場合、ユーザが外装ケース２に設けられているスイッチ６２を押下し、信号を出力する。
【００８６】
この場合、液晶パネル６３の一対の電極７１，７２の間に電界が印加されず、外装ケース２の外表面に照射されている紫外線が液晶パネル６３を透過して液晶パネル６３の背面側に向かって入光される。すると、紫外線センサ１０の検出面１０ａに紫外線が照射され、紫外線量が検出される。この紫外線量の検出結果は、外装ケース２内に設けられている制御回路（不図示）に出力される。この制御回路は、紫外線センサ１０からの出力信号に基づいて、液晶パネル６３の表示部６８に対応する部位に形成されている不図示の電極に電界を印加し、表示部６８に紫外線量を数字で表示させる。
【００８７】
一方、図９、図１０に示すように、紫外線量を検出しない通常の状態にあっては、液晶パネル６３の一対の電極７１，７２の間に電界が印加された状態になっている。このため、電極７１，７２が黒く表示され、外装ケース２の外表面に照射されている紫外線が電極７１，７２によって遮蔽される。このため、紫外線センサ１０の検出面１０ａに紫外線が照射されず、紫外線量を検出することができない。
【００８８】
したがって、上述の第三実施形態によれば、液晶パネル６３の紫外線センサ１０に対応する領域に、外装ケース２の外表面に照射されている紫外線を入光／遮蔽切り替え可能な一対の電極７１，７２が形成されているので、時刻データ、および紫外線センサ１０の検出結果を所謂デジタル表示する紫外線センサ付腕時計３０１であっても、紫外線センサ１０の検出面１０ａが常時紫外線に晒されることなく、紫外線センサ１０の劣化を抑制することが可能になる。
【００８９】
また、液晶パネル６３の背面側に紫外線センサ１０を配置し、液晶パネル６３の電極７１，７２によって紫外線センサ１０を紫外線から保護するので、従来のように外装ケース２に紫外線センサ１０を保護するためのカバー等を設ける必要がなく、紫外線センサ付腕時計３０１のデザイン性を損なうことがない。
さらに、部品点数を増加させることなく紫外線センサ１０の劣化を抑制することができるので、商品コストの低減化を図ることが可能になる。
【００９０】
そして、上偏光板６６、および下偏光板６７の表面に、紫外線フィルタ７３，７４を配置し、これら紫外線フィルタ７３，７４の電極７１，７２に対応する箇所に、それぞれ開口部７５，７６を形成している。このため、紫外線フィルタ７３，７４を配置した状態であっても、液晶パネル６３の紫外線センサ１０に対応する領域に、紫外線を透過させることが可能になる。よって、紫外線センサ１０の機能を阻害することなく、上偏光板６６、および下偏光板６７に有機偏光板を採用することができる。
【００９１】
なお、本発明は上述の実施形態に限られるものではなく、本発明の趣旨を逸脱しない範囲において、上述の実施形態に種々の変更を加えたものを含む。
例えば、上述の実施形態では、紫外線センサ１０を備えた紫外線センサ付腕時計１，１０１，２０１について説明した。しかしながらこれに限られるものではなく、紫外線センサ１０を備えると共に、カレンダーとして機能する日車９を備えるさまざまな時計に本発明を適用することが可能である。
【００９２】
また、上述の実施形態では、日車９には、例えば、１日を表す数字の「１」と３１日を表す数字の「３１」との間に、開口部１９が形成されている場合について説明した。しかしながら、これに限られるものではなく、隣り合う数字の間に開口部１９が形成されていればよい。さらに、日車９に形成される開口部１９は１つに限らず、複数の個所に開口部１９を形成してよい。このように構成することで、紫外線量を検出する際、現在の日付によって日車９の回転量が大幅に変化することなく、より使い勝手のよい紫外線センサ付腕時計１，１０１，２０１を提供することが可能になる。
【００９３】
そして、上述の実施形態では、日車９に開口部１９を形成し、この開口部１９を文字板３の開口窓８に合わせたりずらしたりすることにより、紫外線センサ１０の検出面１０ａを開放（露出）、閉塞させるように構成した場合について説明した。しかしながら、これに限られるものではなく、日車９を少なくとも紫外線量を減衰させて透過可能な半透明な材料を用いて形成してもよい。
この場合、日車９に開口部１９を形成する必要がなくなる。すなわち、日車９を紫外線が透過するので、日車９に開口部１９を形成することなく、紫外線センサ１０によって紫外線量を検出することができる。
【００９４】
したがって、紫外線量を検出する際、日車９を操作する必要がなく、さらに使い勝手のよい紫外線センサ付腕時計を提供することが可能になる。また、紫外線センサ１０の検出面１０ａが常に紫外線に晒されることになるが、日車９を透過する紫外線が減衰されるので紫外線センサ１０の劣化を抑制することができる。
【００９５】
なお、日車９に紫外線を透過させることにより紫外線量を検出する場合、紫外線の減衰量に応じて紫外線センサ１０による検出結果を補正することが望ましい。
より具体的には、日車９の数字が印字、または刻印されている部分を透過した紫外線を検出する場合と、数字が印字、または刻印されていない部分を透過した紫外線を検出する場合とのそれぞれに、予め補正値を設定しておくとよい。そして、日車９の位置に応じて紫外線センサ１０による検出結果を補正する。これにより、紫外線量の検出結果の精度を高めることができる。
また、日車９上の数字の印字面積、または刻印面積を全て同一面積に設定することが望ましい。このように構成することで、より紫外線量の検出結果の精度のばらつきを低減することが可能になる。
【００９６】
さらに、上述の実施形態では、秒針５や文字板３を、紫外線センサ１０の検出結果を表示する表示手段として構成した場合について説明した。しかしながら、これに限られるものではなく、文字板３上に、紫外線センサ１０の検出結果を表示する表示部を別途設けるように構成してもよい。
【００９７】
そして、上述の実施形態では、日車９を、紫外線センサ１０の検出面１０ａを開放（露出）、閉塞可能な遮蔽プレートとして機能させた場合について説明した。しかしながら、これに限られるものではなく、文字板３と紫外線センサ１０の検出面１０ａとの間に、別途検出面１０ａを開放、閉塞可能な遮蔽プレートを設けるように構成してもよい。
このように構成した場合であっても、紫外線センサ１０の検出面１０ａが常時紫外線に晒されることを防止でき、紫外線センサ１０の劣化を抑制することが可能になる。また、紫外線センサ１０と文字板３との間に遮蔽プレートを設けるので、遮蔽プレートが外部に露出することなく、紫外線センサ付腕時計のデザイン性を損なうことがない。
【符号の説明】
【００９８】
１，１０１，２０１，３０１  紫外線センサ付腕時計
２  外装ケース
３  文字板
４  ムーブメント
５  秒針（指針）
６  分針（指針）
７  時針（指針）
８  開口窓
９  日車
１０  紫外線センサ
１０ａ  検出面
１４  竜頭
１７  輪列
１９  開口部
２０  接点機構（検出部）
２１  接点バネ
２１ａ，２１ｂ，２１ｃ  接点バネ端子
２２  回路基板
２３  接点バネ端子用パターン
２４  Ａパターン
２５  Ｂパターン
２６  ＶＤＤパターン
３０  紫外線検出装置
３３  スイッチ（操作スイッチ）
３７  モータ
６０  液晶表示装置
６３  液晶パネル
６６  上偏光板
６７  下偏光板
６９  液晶層
７１，７２  電極
７３，７４  紫外線フィルタ（フィルタ部材）
【図１】
2011221010.tif 000003
【図２】
2011221010.tif 000004
【図３】
2011221010.tif 000005
【図４】
2011221010.tif 000006
【図５】
2011221010.tif 000007
【図６】
2011221010.tif 000008
【図７】
2011221010.tif 000009
【図８】
2011221010.tif 000010
【図９】
2011221010.tif 000011
【図１０】
2011221010.tif 000012
【図１１】
2011221010.tif 000013
【図１２】
2011221010.tif 000014